(57)【要約】【課題】主剤と副剤を簡単な操作のもとで均一に混合できる二剤混合容器を提案する。【解決手段】二剤混合容器を、主剤を充填する充填空間Ｍを有し、ピストン４の押し込みにより注出ノズル３を通して充填空間Ｍ内の内容物の排出を可能とするメインシリンジ１と、このメインシリンジ１の注出ノズル３に連結、離脱可能な口頚部（筒体）１１を有し、該口頚部１１をメインシリンジ１の注出ノズル３に連結して該ピストン４の押し込みと引き戻し動作を誘導することによりその口頚部１１につながる本体部分に充填された副剤と主剤とを混合するサブシリンジ９とによって構成する。【選択図】図１
2010260591.tif 000002
【特許請求の範囲】
【請求項１】
主剤を充填する充填空間を有し、ピストンの押し込みにより注出ノズルを通して充填空間内の内容物の排出を可能とするメインシリンジと、このメインシリンジの注出ノズルに連結、離脱可能な口頚部を有し、該口頚部をメインシリンジの注出ノズルに連結して該ピストンの押し込みと引き戻し動作を誘導することによりその口頚部につながる本体部分に充填された副剤と主剤とを混合するサブシリンジとからなる、ことを特徴とする二剤混合容器。
【請求項２】
前記メインシリンジに、ピストンを、メインシリンジの後端部へ向けて付勢する弾性支持部材を設け、前記サブシリンジの口頚部内に、ピストンの押し込みと引き戻し動作に際して主剤と副剤の混合を促進するミキサーを配置したことを特徴とする請求項１記載の二剤混合容器。
【請求項３】
前記メインシリンジに、該メインシリンジの軸方向に沿って形成され、ピストンの押し込みと引き戻し動作を誘導する細長い窓孔を設けた、請求項１又は２記載の二剤混合容器。
【請求項４】
前記窓孔が、平行配置になる少なくとも二本の長孔と、メインシリンジの周方向に沿い設けられ、各長孔を相互につなぐ少なくとも一つの短孔からなる、請求項３記載の二剤混合容器。
【請求項５】
前記短孔は、各長孔を相互に区切る凸部を有する、請求項４記載の二剤混合容器。
【発明の詳細な説明】
【技術分野】
【０００１】
本発明は、使用直前に簡単な操作のもとで主剤と副剤を均一な状態に混合して注出することができる二剤混合容器に関するものである。
【背景技術】
【０００２】
種類の異なる内容物を使用直前に混合して注出する二剤混合容器は、医療分野で使用される薬剤や毛染め剤等のみならずお茶等の飲料分野へも適用される傾向にあり、その需要は今後益々増大していくと見込まれており、この点に関する先行技術としては、上部容器体を、中間筒部材を介して下部容器体の上に配置し、双方の容器を互いに逆向きに回動させてその相互間に配置した中栓の破断部を捩じ切ることによって開栓、上部容器体内に収容した液を下部容器体へ落下させて混合させるようにした二剤混合容器が知られている（特許文献１参照）。
【先行技術文献】
【特許文献】
【０００３】
【特許文献１】実開平５−４９６３８号公報
【発明の概要】
【発明が解決しようとする課題】
【０００４】
ところで、従来のこの種の混合容器、とくに、副剤を入れた収納筒の如きを容器体へ落下させるタイプのものにあっては、主剤と副剤との十分な混合を図るのが困難であり、注出の開始直後から終了間際に至る間までにおいて注出物の濃度の変動が避けられない等の不具合があり、未だ改良の余地が残されていた。
【０００５】
本発明の課題は、主剤と副剤とを簡単な操作のもとで均一に混合して排出できる新規な二剤混合容器を提案するところにある。
【課題を解決するための手段】
【０００６】
本発明は、主剤を充填する充填空間を有し、ピストンの押し込みにより注出ノズルを通して充填空間内の内容物を排出するメインシリンジと、このメインシリンジの注出ノズルに連結、離脱可能な口頚部を有し、該口頚部をメインシリンジの注出ノズルに連結して該ピストンの押し込みと引き戻し動作を誘導することによりその口頚部につながる本体部分に充填された副剤と主剤とを混合するサブシリンジとを備えたことを特徴とする二剤混合容器である。
【０００７】
上記の二剤混合容器においては、メインシリンジに、ピストンを、メインシリンジの後端部へ向けて付勢する弾性支持部材を設けることができる。また、サブシリンジの口頚部内には、ピストンの押し込みと引き戻し動作に際して主剤と副剤の混合を促進するミキサーを配置するのが望ましい。
【０００８】
また、メインシリンジには、該メインシリンジの軸方向に沿って形成され、ピストンの押し込みと引き戻し動作を誘導する細長い窓孔を設けることができる。窓孔は、平行配置になる少なくとも二本の長孔と、メインシリンジの周方向に沿い設けられ、各長孔を相互につなぐ少なくとも一つの短孔からなるものがとくに好適であり、短孔については、各長孔を相互に区切る凸部を設けることができる。
【発明の効果】
【０００９】
メインシリンジ内の主剤を、サブシリンジ内へ一旦送り出して副剤との混合を図り、さらに、混合にかかわる容物をメインシリンジへ吸引するようにしたので、二剤の均一な混合が可能となる。
【００１０】
メインシリンジ内に配置されるピストンを該メインシリンジの後端部に向けて押しやる向きに付勢する弾性支持部材を設けておくことで、何らの負荷を加えることなしにサブシリンジ内の内容物をメインシリンジ内へ吸引することができる。
【図面の簡単な説明】
【００１１】
【図１】本発明にしたがう二剤混合容器の実施の形態を模式的に示した図である。
【図２】図１に示した二剤混合容器のメインシリンジの外観斜視図である。
【図３】（ａ）〜（ｃ）は本発明にしたがう二剤混合容器に配置されるミキサーの構成部材を示した図である。
【図４】本発明にしたがう二剤混合容器の混合要領の説明図である。
【図５】本発明にしたがう二剤混合容器の内容物の排出状況を示した図である。
【図６】本発明にしたがう二剤混合容器の内容物の排出状況を示した図である。
【図７】本発明にしたがう二剤混合容器の他の例を示した図である。
【図８】本発明にしたがう二剤混合容器のさらに他の例を示した図である。
【発明を実施するための形態】
【００１２】
以下、図面を用いて本発明をより具体的に説明する。
図１は本発明にしたがう二剤混合容器の実施の形態を模式的に示したものであり、図２はメインシリンジの外観を示した図である。
【００１３】
図における１は筒状をなすメインシリンジである。このメインシリンジ１は、主剤の充填空間Ｍを形成するとともにピストンを摺動可能に配置する本体筒部１ａと、この本体筒部１ａの周り取り囲みその相互間にメインシリンジ１の後端部において開放された環状溝部１ｂを形成する外筒１ｃから構成されている。環状溝部１ｂにはスプリングの如き弾性部材Ｓが配置されている。
【００１４】
また、２は、メインシリンジ１の本体筒部１ａの後端に設けられた開口（ピストンの導入口）、３は、メインシリンジ１の先端部に設けられた注出ノズルである。この注出ノズル３は、本体筒部１ａにつながる通路ｒを有し、その外周壁にねじ部ｎが設けられた筒部３ａと、この筒部３ａの先端に一体的につながり、該筒部３ａの通路ｒを通り抜けた内容物を開孔ｈから外界へ向けて排出する細径筒部３ｂからなる。
【００１５】
４は、メインシリンジ１の本体筒部１ａ内に摺動可能に配置されるピストン、５は、ピストン４の後端部につながり、該ピストン４の押し込み、引き戻しを行うためのロッドである。このロッド５は、ピストン４の後端部に直接つながるロッド本体５ａと、このロッド本体５ａの後端部につながり、外筒１ｃに設けられた起立片１ｃ′との協働下にピストン４の押し込み、引き戻しを行う操作部５ｂと、ロッド本体５ａに一体的につながり、環状溝部１ｂにスライド可能に配置される先端開放型の大径筒部５ｃからなっており、ロッド５は体径筒部５ｃにおいて弾性部材Ｓによって支持されている（ロッド５には、ピストン４をメインシリンジ１の後端部へ向けて押しやる付勢力が作用している。）。
【００１６】
６は、大径筒部５ｃの外周壁に設けられた突起、７は、メインシシリンジ１の外筒１ｃに設けられ、該突起６を位置せしめて大径筒部５ｃをガイドする細長い窓孔であり、この窓孔７は、メインシリンジ１の軸方向に沿って平行に延びる二本の長孔７ａ、７ｂと、メインシリンジ１の周方向に沿って伸延し、長孔７ａの後端及び長孔７ｂの先端とをつなぐ短孔７ｃからなっており、各長孔７ａ、７ｂの範囲内でピストン４をスライドさせることができるようになっている。窓孔７は対向位置にももう一つ設けられていて、メインシリンジ１の先端側（注出ノズル３に近い方）に位置する長孔７ｂは、主剤をサブシリンジへ送出すときと、混合された内容物をメインシリンジ１から排出する時に突起６を誘導するガイドとして機能し、メインシリンジ１の後端側に位置する長孔７ａについては、後述するサブシリンジの充填空間内に存在する内容物（主剤と副剤が混合されたもの）をメインシリンジ１の充填空間Ｍへ移行する際に突起６を誘導するガイドとして機能する。短孔７ｃは突起６を長孔７ａ、７ｂに移動させる際の切替ガイドとして用いるが、短孔７ｃの、長孔７ｂ側の端面に突起６を当接させることによって弾性部材Ｓによる長孔７ａでの、突起６の動きが規制される（ピストン４のストッパーとして機能する）。該短孔７ｃには、各長孔7ａ、７ｂを相互に区切り、突起６の不用意な位置ずれによるピストン４の移動を回避するため、使用者の力によって乗り越え可能な凸部７ｃ１を設けておくのがよい。
【００１７】
８は、注出ノズル３の筒部３ａに設けられたねじ部ｎに係合するねじ部ｎ１を有するキャップである。このキャップ８はその内側に細径筒部３ｂの開口に適合する筒体８ａを有しており、使用前（混合前）においてメインシリンジ１を密閉状態に保持する。
【００１８】
９は、筒状をなしその内側に副剤の充填空間を形成するサブシリンジである。このサブシリンジ９には、内周壁に沿ってスライド可能な中蓋９ａが配置されている。
【００１９】
１０は、サブシリンジ９の後端部に配置され、中蓋９ａのサブシリンジ９からの脱落を防止する抑え部材である。この抑え部材１０は外気を導通させる開口１０ａを有している。
【００２０】
１１は、サブシリンジ９の先端部分に一体連結して該サブシリンダ９の口頚部を形成する筒体である。この筒体１１の内周壁には、注出ノズル３の筒部３ａに設けられたねじ部ｎに係合するねじ部ｎ２が設けられている。
【００２１】
１２は、筒体１１の内側に配置されたミキサーである。このミキサー１２はサブシリンジ９の充填空間Ｍ１につながる通路を形成する筒部１２ａと、この筒部１２ａの内側に配置され、該筒部１２ａを通り抜ける際に内容物に乱流を生じさせて撹拌する撹拌子１２ｂから構成されている。撹拌子１２ｂは、図３（ａ）〜（ｃ）に示すように、サブシリンジ９の軸芯に沿う軸体１２ｂ１と、この軸体１２ｂ１に一体的に固定保持されたリブからなっている。リブとしては、例えば、軸体１２ｂ１の先端部の対向位置に設けられた二枚の縦リブ１２ｂ２と、その後端につながり互いに逆向きの傾斜を有する傾斜リブ１２ｂ３と、この傾斜リブ１２ｂ３の後端に位置し、傾斜する向きを９０°ずらして配置された傾斜リブ１２ｂ４、１２ｂ５とを組み合わせたものを適用することが可能であり、これにより主剤と副剤との混合がより一層促進される。傾斜リブについては、この例では、軸体１２ｂ１の軸芯に沿って３つ配置した場合について示したが、軸体１２ｂ１の先端から後端に向けて連続して延びる螺旋状リブを設けてもよく、この点については限定されない。
【００２２】
さらに、１３は、筒体１１の内周壁に設けられたねじ部ｎ２に係合するねじ部ｎ３を有するキャップである。このキャップ１３はその先端部にミキサー１２の筒部１２ａの開口端に適合する凸状の隔壁部１３ａを有しており、使用前（混合前）においてサブシリンジ９を密閉状態に保持する。
【００２３】
メインシリンジ１内の主剤と、サブシリンジ９内の副剤を混合して排出するには、まず、それぞれに取付けられたキャップ８、１３を取り外し、メインシリンジ１の注出ノズル３の筒部３ａを、サブシリンジ９の口頚部を形成する筒体１１にねじ込んで相互に連結する。そして、ロッド５の操作部５ｂを把持してピストン４を図４に示すように注出ノズル３側へ向けて押し込む。この押し込みによりメインシリンジ１内に充填されていた主剤は、筒部１２ａを通ってサブシリンジ９の充填空間Ｍ１内へと移行して主剤と副剤が混合される。
【００２４】
主剤がサブシリンジ９の充填空間Ｍ１へ移行したのち、ピストン４の押し込みにかかる力を取り除くと、弾性部材Ｓによってピストン４はロッド５とともに、メインシリンジ１の後端部へ向けて移動し、この移動に伴うメインシリンジ１の充填空間Ｍ内の負圧により、サブシリンジ９内の内容物は、図５に示すように、メインシリンジ１の充填空間Ｍ内へと吸引され、この時、内容物はミキサー１２の撹拌子１２ｂ（縦リブ１２ｂ２、傾斜リブ１２ｂ３、１２ｂ４、１２ｂ５）を通ることになるので、主剤と副剤はここでより一層撹拌されて均一な混合状態となる。
【００２５】
サブシリンジ９の充填空間Ｍ１内の内容物が全てメインシリンジ１の充填空間Ｍに移行したのちは、サブシリンジ９をメインシリンジ１から取り外して図６に示すようにロッド５の操作部５ｂに適宜押圧力を付与してピストン４を移動させればよく、これにより均一に混合された内容物が注出ノズル３から排出される。
【００２６】
上掲図１〜６に示した二剤混合容器においては、弾性部材Ｓを用いてロッド５を弾性支持するようにしたが、該弾性部材５を配置するような構成を採用せずともよく、これによりメインシリンジ１の径の細径化が可能になる利点があり、この場合、ピストン４の移動は手動によって行うことになる。
【００２７】
この種の容器おいては、混合した内容物は一度に使い切るのが普通であるが、使い方によっては、少量ずつ小出にして排出する場合もあり、小出し排出に対応させるため外筒１ｃには窓孔７に沿って目盛りを設けておくこともできる。
【００２８】
また、小出し排出においては、適正な量が排出できるように、ピストン４の移動が多段階になるような図７に示すような段付きの窓孔１４を設けるか、あるいは図示はしないが凹凸を設けて多段階に排出ができるようにしておけばよい。とくに図7に示すような段付きの窓孔１４（長孔１４ａ〜１４ｄ、短孔１４ｅ〜１４ｇ、凸部１４ｈ〜１４ｊ）を設けたものにあっては、定量注出が可能であり、ピストン４を移動させる際に付加された押圧力を取り除いたときに該弾性部材Ｓによりピストン４が初期位置へとすぐさま復帰するのでバックサクションが期待でき、内容物の垂れを回避できる利点がある。
【００２９】
図８は、本発明にしたがう二剤混合容器のさらに他の例を示した図である。この例は、長孔７ａに長孔７ａ′を設けて長孔７ｂと同様の位置まで延長したものであり、メインシリンジ１の充填区間Ｍにある主剤をサブシリンジ９へ移行させる場合には長孔７ｂを使用し、サブシリンジ９の充填空間Ｍ１内の内容物をメインシリンジ１へ移行させる際には、突起６が長孔７ａに位置するように本体筒部１ａ（あるいはロッド５）を回動させればよく、さらに混合済の内容物をメインシリンジ１から排出するには、そのままロッド５を押圧すればよく、この時、突起６は長孔７ａ、長孔７ａ′に沿って移動することになる。
【産業上の利用可能性】
【００３０】
簡単な操作でもって主剤と副剤の均一混合が可能な二剤混合容器が提供できる。
【符号の説明】
【００３１】
１      メインシリンジ
１ａ    本体筒部
１ｂ    環状溝部
１ｃ    外筒
２      開口
２ａ    べース
３      注出ノズル
３ａ    筒部
３ｂ    細径筒部
４      ピストン
５      ロッド
５ａ    ロッド本体
５ｂ    操作部
５ｃ    大径筒部
６      突起
７      窓孔
７ａ    長孔
７ａ′  長孔
７ｂ    長孔
７ｃ    短孔
８      キャップ
９      サブシリンジ
９ａ    中蓋
１０    抑え部材
１０ａ  開口
１１    筒体
１２    ミキサー
１２ａ  筒部
１２ｂ  撹拌子
１３    キャップ
１３ａ  隔壁部
１４    窓孔
Ｍ      充填空間
Ｍ１    装填空間
Ｓ      弾性部材
【図１】
2010260591.tif 000003
【図２】
2010260591.tif 000004
【図３】
2010260591.tif 000005
【図４】
2010260591.tif 000006
【図５】
2010260591.tif 000007
【図６】
2010260591.tif 000008
【図７】
2010260591.tif 000009
【図８】
2010260591.tif 000010